(57)【要約】【課題】遮光シートを用いる事で小型化を達成しつつ、ストロボ発光窓以外から照射される光路を防ぐことで、デジタルカメラ本体内部で乱反射する光が外装カバーどうしの合わせ部から漏れ出る事を防ぐ撮像装置を提供すること。【解決手段】ストロボ発光部に貼り付けた遮光シートを、ストロボ発光窓の少なくとも１面において、外装の開口部とストロボ発光窓の間に配置する。【選択図】  図４
2015114515.tif 000002
【特許請求の範囲】
【請求項１】
発光部（７２）と前記発光部（７２）を覆う外装（２）と前記発光部（７２）に接着可能な遮光シート（８０）を有し、前記発光部（７２）は光を外部に放出するための発光窓（７２Ａ）を有し、
前記外装（２）は、前記発光窓（７２Ａ）を覆わないような開口部（２Ａ）を有し、
遮光シート（８０）は、開口部（２Ａ）の少なくとも１辺において、発光窓（７２Ａ）と開口部（２Ａ）の間に配置される事を特徴とする撮像装置。
【請求項２】
前記遮光シート（８０）は、前記発光窓（７２Ａ）の周囲を覆い、発光部（７２）の上面または側面のいずれか、または両面に接着可能な形状を有する、１枚のシートであることを特徴とする請求項１に記載の撮像装置。
【発明の詳細な説明】
【技術分野】
【０００１】
本発明は、ストロボ光を発光するストロボユニットに関し、特にストロボユニットの構成に関するものである。
【背景技術】
【０００２】
近年、デジタルカメラは小型化が求められており、デジタルカメラの内部構成部品であるストロボユニットもその小型化を求められている。
【０００３】
ストロボユニットは撮影時に周囲が暗い時など、被写体を照らすために発光させる。発光部であるキセノン管は全方位に光を放つものであるため、反射板や拡散板等の部品を用いて光をデジタルカメラ本体の前方向に向くように光路調整を行う。そして、デジタルカメラ前面に配置されたストロボ発光窓を通して、外部に光が放出される。しかしながら光路調整を行っても、全ての光がストロボ発光窓を通ってデジタルカメラの外側に照射出来るわけではない。例えば、デジタルカメラ内部で外装の裏面と発光部の間で反射を繰り返し（特に金属外装の場合は光が反射し易い）、ストロボユニットだけではなく他の内部構成部品にも乱反射して、デジタルカメラ側面や上面等の外装の割りから光が出てしまう、いわゆる「光漏れ」という事態を起こり得る。デジタルカメラにおいて、発光されるためのストロボ発光窓以外から光が漏れ出るのは、品位として好ましくない。
【０００４】
そのため、光漏れを起こさないような構成をとらねばならない。
【０００５】
特許文献１では、高級感を出すためと開示されているが、外装とストロボユニットの間に、外装の開口部を覆う形状のインローとしてモールド部品を配置している。また、デジタルカメラ本体の上面や側面にも同様にインローを設けており、遮光対策が行われている。
【先行技術文献】
【特許文献】
【０００６】
【特許文献１】特開平７−４３８１０号公報
【発明の概要】
【発明が解決しようとする課題】
【０００７】
しかしながら、特許文献１のようにモールド部品を追加すると、デジタルカメラの小型化が困難となってしまう。
【０００８】
近年では、小型化のために、ストロボ発光窓以外から照射され乱反射した光をインロー等によって遮るという対策ではなく、ストロボ発光窓以外に照射される光路を防ぐという対策が取られている。この対策は、ストロボ発光部の上面や側面などストロボ発光窓と異なる箇所に遮光シートを貼り付けるというものである。しかし、遮光シートを貼っていても、発光させた光が外装の開口部とストロボ発光窓の僅かな隙間で乱反射し、外に出ることなく内部に戻ってしまい、側面や上面などの外装カバーどうしの合わせ部から漏れる場合がある。外装が金属の場合は特に乱反射が起こり易いので、外装の開口部とストロボ発光窓間にも遮光シートを貼る必要がある。
【０００９】
そこで本発明の目的は、遮光シートを用いる事で小型化を達成しつつ、ストロボ発光窓以外から照射される光路を防ぐことで、デジタルカメラ本体内部で乱反射する光が外装カバーどうしの合わせ部から漏れ出る事を防ぐ撮像装置を提供することである。
【課題を解決するための手段】
【００１０】
上記目的を達成するために、本発明は、ストロボ発光部に貼り付けた遮光シートを、ストロボ発光窓の少なくとも１面において、外装の開口部とストロボ発光窓の間に配置することを特徴とする撮像装置。
【発明の効果】
【００１１】
本発明によれば、モールド部品に比べて安価な遮光シートを用いる事で、デジタルカメラの小型化を確保しつつ、外装の外装カバーどうしの合わせ部から光が漏れ出ることを防ぐ撮像装置を提供することができる。
【図面の簡単な説明】
【００１２】
【図１】（ａ）は正面から見た外観斜視図、（ｂ）は背面から見た外観斜視図
【図２】前カバーを外した時の内部を示す斜視図
【図３】（ａ）は本発明のストロボユニット７００の斜視図、（ｂ）は本発明のストロボユニット７００の展開斜視図、（ｃ）は本発明の遮光シート８０の展開図
【図４】（ａ）は本発明における遮光構造を示す断面図、（ｂ）はカメラ本体１における（ａ）の位置を示す図
【図５】カメラ本体１において、光漏れが起こる時の光路Ｘを示した図
【発明を実施するための形態】
【００１３】
［実施例］
以下に、本発明の好ましい実施の形態を、添付の図面に基づいて詳細に説明する。図１は、本発明の実施形態にかかわる外観図で図１(a)は正面から見た斜視図、図１(b)は背面から見た斜視図である。
【００１４】
図１(a)において、カメラ本体１は前面を前カバー２に、背面を後ろカバー３、上面を上カバー４、側面を側面カバー５に覆われている。カメラ本体１の前面中央には複数のレンズによって構成される撮影レンズを保持する鏡筒６がある。鏡筒６は撮影レンズを光軸方向に移動させることにより、ズーム倍率や焦点距離を変更可能にする。鏡筒６の右上にはストロボの発光窓７２Ａがあり、被写体が暗い時に必要に応じて発光させる。
【００１５】
カメラ本体１の上面には、電源ボタン８、レリーズボタン９が設けられている。
【００１６】
電源ボタン８を押すとデジタルカメラは休止状態から抜け出し、鏡筒６は図１(a)に示した収納状態から光軸方向に所定量繰り出し、デジタルカメラが撮影可能な状態に変化する。さらに撮影可能な状態にあるとき、レリーズボタン９を押すと撮影が行われる。
【００１７】
モードレバー１０は静止画撮影モードと動画撮影モードの切り替えを行う。
【００１８】
図１(b)に示すように、カメラ本体１の背面には液晶表示器１１が設けてある。
【００１９】
液晶表示器１１は撮影する被写体像の確認や、撮影された画像の再生表示に用いられる。液晶表示器１１の横には、操作ボタン群１２が設けられている。操作ボタン群１２には、十字キーも含まれている。操作ボタン群１２は、撮影条件の変更、液晶表示器１１の表示形態の変更、再生画面への切換えといった機能を指示する際に利用する。カメラ本体１のストロボの逆側側面には外部接続端子を埃などから守るために外部接続端子を保護する端子カバー１３が設けられている。外部接続端子には、例えばＵＳＢ、ＨＤＭＩ(登録商標）などの接続用コネクタがある。
【００２０】
次に、図２〜５を参照して、本発明における撮像装置の遮光構造について説明する。
【００２１】
図２は前カバー２を外した時の内部を示す斜視図である。図３（ａ）は本発明のストロボユニット７００のみを示した斜視図であり、（ｂ）はその展開斜視図である。（ｃ）は本発明の遮光シートの展開図である。図４（ａ）は本発明における遮光構造を示す断面図Ａである。図４（ｂ）は、カメラ本体１における図５（ａ）の位置を示す図である。図５はカメラ本体１において、光漏れが起こる時の光路Ｘを示した図である。
【００２２】
図３〜５において、ストロボユニット７００は、発光部ユニット７１０と遮光シート８０、ストロボ操作基板７７と、それらの部品を収納するストロボホルダー７１から構成されている。さらに発光部ユニット７１０は、ストロボ発光部７２と、反射笠７３、発光管７４、放電防止用ゴム部材７５と、それらを収納するストロボベース７６、メインコンデンサ７８とトリガコイル７９から構成されている。ストロボ発光部７２は外観となるストロボ発光窓７２Ａを有している。
【００２３】
遮光シート８０は光を遮断できるような色（例えば、黒色）の片面テープである。遮光シート８０の表面は光が反射しにくいマットな材質の方が好ましく、小型化のために遮光効果のある薄いシートであれば尚良い。遮光シート８０はストロボ発光窓７２Ａを避けた開口部８０Ａを有しており、まず、ストロボ発光部７２の正面となるストロボ発光窓７２Ａの周辺に貼り付ける。次に、ストロボ発光部７２の形状に沿って、ストロボ発光部の上面７２Ｂに貼る。そして、折れ線部８０ｄでシートを折り、側面７２Ｃに貼る。このように折り曲げやすくするために、遮光シート８０にはスリット８０Ｂを設けている。側面７２Ｃに貼った後に余ったシートは、折れ線部８０ｅで折り返し、ストロボ発光部上面７２Ｂに貼り付ける。このように折り返すのは、ユニット組立時に遮光シート８０の浮きや剥れを防ぎ、シート同士の隙間を埋めるためであるが、必ずしも折り返す形状にする必要は無い。また、折れ線部８０ｄ、８０ｅは折れ曲げ部を分かりやすくするための指標であるが、必ずしもシートに指標を付ける必要は無い。
【００２４】
さらに、遮光シート８０の開口部８０Ａにはストロボ発光窓７２Ａの少なくとも１つの面に貼り付けが可能となるように、開口部８０Ａの一部を覆うような暖簾部８０Ｃを有している。暖簾部８０Ｃは、カメラ組立時に前カバー２の開口部２Ａとストロボ発光部７２Ａの間に挟まれるようになっている。
【００２５】
発光管７４から発せられた光は、一部はそのまま、一部は反射笠７３への反射を介してストロボ発光部７２に照射される。この照射光は遮光シート８０で覆われていないストロボ発光窓７２Ａからカメラ外部に出て行くが、ストロボ発光窓７２Ａは、外装の開口部２Ａと対向する位置も含まれるために、光路Ｘのように、照射光が外装の開口部２Ａとストロボ発光窓７２Ａの間で乱反射し、外に出ることなく内部に戻ってしまう場合がある。内部に戻ってしまった光路Ｘは、内部で乱反射を繰り返して、外装カバーどうしの合わせ部から光が漏れる原因となる。そこで、暖簾部８０Ｃを設けることにより内部に戻ってきた光を、カメラの内側へ光を反射させないようにする事ができる。このような構成により、外装カバーどうしの合わせ部から光が漏れ出るというような事態を防ぎ、品位の高いデジタルカメラにする事ができる。
【００２６】
また、本実施例の遮光シート８０は一枚貼りにしているが、これは組立上、シートを複数枚に分けて貼るよりも工数を減らす事が出来るのでコストダウンに繋がるからである。従って、遮光シート８０は複数枚であっても構わない。
【００２７】
このように、隙間を埋める新たな部品を作らず、従来ある遮光シート８０の形状を変更するだけで、光漏れの効果を生み出す事ができ、かつコストダウンに繋がる。
【符号の説明】
【００２８】
２      前カバー
２Ａ    前カバー開口部
７２    ストロボ発光部
７２Ａ  ストロボ発光窓
８０    遮光シート
８０Ａ  開口部
８０Ｃ  暖簾部
Ｘ      光路
【図１】
2015114515.tif 000003
【図２】
2015114515.tif 000004
【図３】
2015114515.tif 000005
【図４】
2015114515.tif 000006
【図５】
2015114515.tif 000007